(57)【特許請求の範囲】
【請求項１】
第１ポストと第２ポストとの間に、一対のリンクバーを挟み状に連結したリンク機構を複数組連ねたシザースリンク機構を伸縮自在に介装して、該シザースリンク機構の両端に位置するリンクバーの上側端を前記第１ポストと第２ポストに固着し、
同じくシザースリンク機構の両端に位置するリンクバーの下側端を第１ポストと第２ポストにスライド可能に支持して、第１ポストと第２ポストとを接近および離反可能に連結し、
該第１ポストと第２ポストの前記シザースリンク機構よりも上方位置に断面上向きの円弧状に形成された屈曲自在な剛性帯体を掛け渡し、
第１ポストと第２ポストのそれぞれには屈曲案内部材を配設して、該屈曲案内部材の案内にて前記剛性帯体の両側部を第１ポストと第２ポストの内部に屈曲収納可能となすとともに、
前記剛性帯体に複数のガイドシャフトをスライド可能に垂設して、各ガイドシャフトを前記リンク機構の上部連結点には固着し、該リンク機構の下部連結点には挿通せしめ、
前記剛性帯体は、前記屈曲案内部材間の中間部では、直線形状を保つと共に、前記第１ポストと前記第２ポスト内部の両側部では、円弧面形状を前記屈曲案内部材によって平面状に伸展させることにより９０度下側に屈曲したのち、平面形状を円弧面形状に復元させて直線状態に復帰させるようにした
ことを特徴とするポストの平行移動装置。
【請求項２】
前記平行移動装置のシザースリンク機構と剛性帯体の両側部にプリーツスクリーンやカーテン等のシート地を配設して、該一対のシート地の両端部を前記第１ポストと第２ポストとに掛け渡すとともに、
前記一対のシート地と前記剛性帯体との間にシート地保持手段を介装した
ことを特徴とする請求項１のポストの平行移動装置を用いたパーティション装置。
【請求項３】
第１ポストと第２ポストとの間に、一対のリンクバーを挟み状に連結したリンク機構を複数組連ねたシザースリンク機構を伸縮自在に介装して、該シザースリンク機構の両端に位置するリンクバーの上側端を前記第１ポストと第２ポストに固着し、
同じくシザースリンク機構の両端に位置するリンクバーの下側端を第１ポストと第２ポストにスライド可能に支持して、第１ポストと第２ポストとを接近および離反可能に連結し、
該第１ポストと第２ポストの前記シザースリンク機構よりも上方位置に屈曲自在な剛性帯体を掛け渡し、
第１ポストと第２ポストのそれぞれには屈曲案内部材を配設して、該屈曲案内部材の案内にて前記剛性帯体の両側部を第１ポストと第２ポストの内部に屈曲収納可能となすとともに、
前記剛性帯体に複数のガイドシャフトをスライド可能に垂設して、各ガイドシャフトを前記リンク機構の上部連結点には固着し、該リンク機構の下部連結点には挿通せしめ、
前記シザースリンク機構と前記剛性帯体の両側部にプリーツスクリーンやカーテン等のシート地を配設して、該一対のシート地の両端部を前記第１ポストと第２ポストとに掛け渡すとともに、
前記一対のシート地と前記剛性帯体との間にシート地保持手段を介装し、
前記シート地保持手段は、
前記一対のシート地の上部間に前記剛性帯体の軸線方向に対して傾斜して架設される複数の連結板と、
前記剛性帯体にスライド可能に支持される複数のランナーとを備え、
該ランナーから前記ガイドシャフトを垂設するとともに、
ランナーの上部にガイド部を突設して、該ガイド部に前記連結板を揺動可能に支持せしめた
ことを特徴とするパーティション装置。
【請求項４】
前記パーティション装置を対向する一対の側壁間に配設し、
両側壁の上部間にガイドレールを架設するとともに、前記第１ポストと第２ポストの上端に前記ガイドレールを転動するローラを取着して、
第１ポストと第２ポストをガイドレールに沿って移動することにより、前記一対のシート地を開閉自在となした
ことを特徴とする請求項２または３に記載のパーティション装置を用いたアコーディオン型装置。
【発明の詳細な説明】
【技術分野】
【０００１】
本発明は、伸縮自在な間仕切りやパーティション装置，アコーディオン型装置等の基本構造として用いられるポストの平行移動装置と、この平行移動装置を用いたパーティション装置並びにアコーディオン型装置に関する。
【背景技術】
【０００２】
伸縮自在な可動式パーティション装置（衝立）の骨組みとして、１対の可動ポストと、この可動ポスト間に配設され、上端の連結部の位置を一定高さに保持して伸縮するシザースリンク機構とを有するポストの平行移動装置が知られている（例えば、特許文献１）。
【０００３】
上述のシザースリンク機構は、一対のリンクバーを挟み状に連結したリンク機構を複数組連ねて構成され、これを双方のポストの間に横向きにして、シザースリンク機構の両端に位置するリンクバーの上側端をそれぞれのポストに固着し、同じくシザースの両端に位置するリンクバーの下側端をそれぞれのポストにスライド可能に支持することにより、シザースリンク機構を構成する各リンクの上端の高さを一定に保ち、これにプリーツスクリーンやカーテン等のシート地を張設することにより、移動可能な簡易なパーティション装置として使用することができるようにしている。
【０００４】
また、対向する一対のプリーツスクリーンの間に平面視Ｘ字状の連結部材を複数個配設し、各連結部材の４つの脚部にプリーツスクリーンのシート形状を保持する形状保持部材をそれぞれ張着して、該形状保持部材を双方のプリーツスクリーンの傾斜面に結合することにより、プリーツスクリーンを伸張または縮小していずれの状態にしたときにも、プリーツ形状を均等に形よく開または閉できるようにしたアコーディオンカーテンが提案されている（例えば、特許文献２）。
【特許文献１】特開平５−２３９８７２号公報
【特許文献２】特開昭５５−１０８５８７号公報
【発明の開示】
【発明が解決しようとする課題】
【０００５】
しかしながら、特許文献１に記載されるポストの平行移動装置は、双方のポストの間隔をシザースリンク機構の介装によってポスト間距離の調整が可能となるものの、シザースリンク機構には伸張方向の形状を直線状を保つ機能はないために伸縮と交差する方向に撓み荷重が作用し、伸張形態を安定して保つことが困難であり、また伸縮の際にもいたずらな横荷重が作用して不安定の動作となる。
【０００６】
さらにこの撓み荷重は、シザースリンク機構を構成する各リンクとその連結部分とに捩れやこじりとして作用し、これらの損耗を早めるという欠点がある。
また、平行移動装置とシート地とは連動関係がないことから、シート地に部分的な引き連れやたるみを生じることとなり、見た目がわるいばかりかシート地にいたずらな損耗を与える原因となるため好ましくない。
【０００７】
また、特許文献２のアコーディオンカーテンでは、伸張及び縮小のいずれの形態にも対応ができるように、連結部材のＸ字状脚片に弾性力を持たせてアコーディオンカーテンを中間的な形態に保持させているが、アコーディオンカーテンを縮小する際にはＸ字状の脚片が縮小の抵抗となるため、最大伸張長さに対する最小畳み代はおよそ２０〜３０％となり、小さな畳み代が得られない。したがって、アコーディオンカーテンを全開しても通路の間口を狭く制約してしまうこととなる。
【０００８】
本発明はこのような実情を背景にしてなされたもので、その目的とするところは、一対のポスト間に伸縮機構であるシザースリンク機構を介装するも、シザースリンク機構の伸張方向の姿勢を負担なく維持できるようにし、また平行移動装置とシート地とを簡便に連動させることのできるようにし、さらに縮小時の最小折り畳み代を極力小さくすることのできるポストの平行移動装置と、これを用いたパーティション装置並びにアコーディオン型装置を安価に提供することを目的としている。
【課題を解決するための手段】
【０００９】
上述の目的を達成するため、本発明のポストの平行移動装置は、第１ポストと第２ポストとの間に、一対のリンクバーを挟み状に連結したリンク機構を複数組連ねたシザースリンク機構を伸縮自在に介装して、該シザースリンク機構の両端に位置するリンクバーの上側端を前記第１ポストと第２ポストに固着し、同じくシザースリンク機構の両端に位置するリンクバーの下側端を第１ポストと第２ポストにスライド可能に支持して、第１ポストと第２ポストとを接近および離反可能に連結し、該第１ポストと第２ポストの前記シザースリンク機構よりも上方位置に断面上向きの円弧状に形成された屈曲自在な剛性帯体を掛け渡し、第１ポストと第２ポストのそれぞれには屈曲案内部材を配設して、該屈曲案内部材の案内にて前記剛性帯体の両側部を第１ポストと第２ポストの内部に屈曲収納可能となすとともに、前記剛性帯体に複数のガイドシャフトをスライド可能に垂設して、各ガイドシャフトを前記リンク機構の上部連結点には固着し、該リンク機構の下部連結点には挿通せしめ、前記屈曲案内部材間の中間部では、直線形状を保つと共に、前記第１ポストと前記第２ポスト内部の両側部では、円弧面形状を屈曲案内部材によって平面状に伸展させることにより９０度下側に屈曲したのち、平面形状を円弧面形状に復元させて直線状態に復帰させるようにしたことを特徴としている。
【００１０】
上述のポストの平行移動装置を用いたパーティション装置として、前記平行移動装置のシザースリンク機構と剛性帯体の両側部にプリーツスクリーンやカーテン等のシート地を配設して、該一対のシート地の両端部を前記第１ポストと第２ポストとに掛け渡すとともに、前記一対のシート地と前記剛性帯体との間にシート地保持手段を介装したことを特徴としている。
【００１１】
前記シート地保持手段は、前記一対のシート地の上部間に前記剛性帯体の軸線方向に対して傾斜して架設される複数の連結板と、前記剛性帯体にスライド可能に支持される複数のランナーとを備え、該ランナーから前記ガイドシャフトを垂設するとともに、ランナーの上部にガイド部を突設して、該ガイド部に前記連結板を揺動可能に支持せしめたことを特徴としている。
【００１２】
また、上述のパーティション装置を用いたアコーディオン型装置として、前記パーティション装置を対向する一対の側壁間に配設し、両側壁の上部間にガイドレールを架設するとともに、前記第１ポストと第２ポストの上端に前記ガイドレールを転動するローラを取着して、第１ポストと第２ポストをガイドレールに沿って移動することにより、前記一対のシート地を開閉自在となしたことを特徴としている。
【００１３】
本発明のシザースリンク機構は、これを構成する各リンクの上部連結点が一定の高さを保ちながら伸縮する。両ポスト間に架設された剛性帯体はシザースリンク機構の伸縮と連動し、シザースリンク機構が縮小して両ポスト間の距離が狭まった場合には、両ポストの接近によって余った剛性帯体の両側部が屈曲案内部材によってそれぞれのポスト内部を下方へ案内されながら収容されていき、またシザースリンク機構が伸張して両ポスト間の距離が拡がった場合には、両ポストの離間によって不足した剛性帯体の両側部が屈曲案内部材によってそれぞれのポスト内部から引き出される。
本発明のシート地として、プリーツスクリーンやカーテン等が用いられる。シザースリンク機構と剛性帯体の両側部に配設されたシート地の吊り荷重は、シート地保持手段を介して剛性帯体に伝達され、該剛性帯体にて担持される。
【００１４】
剛性帯体から垂設された複数のガイドシャフトは、シザースリンク機構の伸縮に伴って上部連結点及び下部連結点と一体に横移動し、剛性帯体に対しては個別にスライドする。ガイドシャフトは、リンク機構の上部連結点には固着され、下部連結点には挿通される関係をもつことから、シザースリンク機構の伸縮を許容し、リンク機構が伸縮と交差する方向に倒れるのを防止する。
このように、シート地は、シート地保持手段によって両ポストの距離に応じて全体が均等な開き状態または閉じ状態を維持し、従来のようなシート地の一部のみが偏って開または閉するといった不具合はなくなる。これにより、シザースリンク機構は伸縮時の動作や所望長さに伸張させた使用状態の姿勢が直線状に保たれる。また、シザースリンク機構を構成する各リンクとその連結部分にも捩れやこじり力が作用しなくなる。
【００１５】
本発明のパーティション装置やアコーディオン型装置では、一対のシート地がシート地保持手段によって剛性帯体と連携し、両ポスト間のシザースリンク機構と剛性帯体とを隠しながら、シザースリンク機構の伸縮に連動して開閉する。
シート地の開閉は、連結板とスライダーとガイドシャフトとが上下方向に連続して位置することから、両ポストが離間してリンク機構が伸張すればこれに対応してシート地も全体が均等に開き、また両ポストが接近してリンク機構が縮小すればこれに対応してシート地も全体が均等に閉じられる。
【００１６】
さらに、本発明のアコーディオン型装置は、大きなフロアの間仕切りやドア框内のアコーディオンドア等に適用が可能であり、ガイドレールとローラを用いることより、シザースリンク機構の伸縮を伴うシート地の開閉が簡便であり、特に大型なものおいて小さな軽い力で開閉することができる。
【００１７】
本発明のシート地保持手段では、シザースリンク機構の伸縮に伴ってガイドシャフトが横移動すると、これを支えるランナーが剛性帯体に対してスライドし、さらにスライダーのガイド部と係合する連結板を介して一対のシート地が開閉する。
【発明の効果】
【００１８】
本発明にかかるポストの平行移動装置によれば、一対のポスト間に伸縮機構であるシザースリンク機構を介装するも、伸張方向の姿勢を負担なく維持できるようにしつつ、リンク機構が伸縮と交差する方向に倒れるのを防止する。これにより、シザースリンク機構は、伸縮時の動作や所望長さに伸張させて使用する際の姿勢が直線状によく保たれる。また、シザースリンク機構を構成する各リンクとその連結部分にも捩れやこじり力が作用しなくなり、シザースリンク機構としての性能を長期間よく保つことができる。
【００１９】
さらに、本発明のポストの平行移動装置は、特許文献２に示すごとき縮小時に嵩張る部材を持たないことから、シート地を装着してパーティション装置やアコーディオン装置とした場合に、シート地の最大伸張長さに対する最小畳み代を、従来の２０〜３０％に対して１０〜１５％程度と半減できる。この結果、シート地を全開した際には、通路の間口を充分に広く採ることができ、利便性が高まる。
【００２０】
また、本発明のパーティション装置やアコーディオン装置では、平行移動装置とシート地とを簡便な構造で安価に連動させることができる。さらに、シザースリンク機構と剛性帯体の両側にシート地があって、シザースリンク機構や剛性帯体の機械的な構造はシート地が隠すので、見た目にも美麗である。
とくに、本発明のアコーディオン型装置は、大きなフロアの間仕切りやドア框内のアコーディオンドア等に最適であり、ガイドレールとローラを用いることより、シザースリンク機構の伸縮を伴うシート地の開閉が簡便であり、特に大型なアコーディオン型装置において、小さな軽い力でシート地を開閉することができる。
【００２１】
また、本発明のシート地保持手段によれば、シザースリンク機構と剛性帯体の両側に位置するシート地を、両ポスト間の距離に応じて全体を均等に開くので、見た目にも美麗であり、従来のようにシート地の一部のみが偏って開または閉するといった粗密のアンバランスはなくなる。
【発明を実施するための最良の形態】
【００２２】
以下、本発明の形態例を図面に基づいて説明する。
図１〜図６は、本発明のポストの平行移動装置をパーティション装置に適用した第１形態例を示し、図１はパーティション装置の正面図、図２は図１の平面図、図３はパーティション装置を折り畳んだ状態の正面図、図４は図３の平面図、図５はポストの断面平面図、図６はガイドシャフト上部の縦断面図である。
【００２３】
図１〜図４に示す第１形態例のパーティション装置１は、ポストの平行移動装置２に２枚のカーテン３，３を組み合わせたダブルカーテン式のパーティション装置で、移動可能なポストの平行移動装置２の両側に２枚のカーテン３，３をガイドブラケット１０と吊り下げ用フック１１とで開閉自在に吊持して構成されている。
ポストの平行移動装置２は、本形態例のパーティション装置１と、後述する第２形態例のパーティション装置や第３形態例のアコーディオン型装置に共通して用いられる骨格構造で、第１ポスト４及び第２ポスト５と、両ポスト４，５を伸縮自在につなぐシザースリンク機構６と、該シザースリンク機構６の上方位置で前記第１ポスト４及び第２ポスト５とに収納及び引き出し自在に架設される剛性帯体７と、該剛性帯体７にスライド自在に設けられるランナー８と、該ランナー８から前記シザースリンク機構６に垂設されるガイドシャフト９とを備えている。
【００２４】
第１ポスト４と第２ポスト５には中空の柱体が対称に用いられており、下端にはシザースリンク機構６と交差方向に突出するキャスタ付の支持脚４ａ，５ａが設けられていて、パーティション装置１を所望の使用場所へ自走できるようにしている。第１，第２ポスト４，５の内部は２つの室２０ａ，２０ｂに分かれており、その上部にはガイドローラを用いた屈曲案内部材２１が配設されている。
【００２５】
シザースリンク機構６は、一対のリンクバー２２，２２の中間部を支軸２３で枢支して挟み状のリンク機構を構成し、このリンク機構を複数組用意してリンクバー２２，２２の両端部同士を支軸２４，２５で横長に連結することにより構成されている。シザースリンク機構６の両端に位置するリンクバー２２の上側端は、第１，第２ポスト４，５の一方の室２０ａに支軸２４とシャフトホルダ２６を用いて固着され、同じくシザースリンク機構の両端に位置するリンクバー２２の下側端は、第１，第２ポスト４，５の一方の室２０ａに支軸２５とシャフトホルダ２７を用いて上下方向へスライド可能に支持されている。
この構成により、第１，第２ポスト４，５を接近または離反させた場合に、シザースリンク機構６は、各リンクバー２２，２２の挟み角を変更しながら伸張もしくは縮小するが、この伸縮では、本発明の上部連結点となる支軸２４が常時一定の高さを保持し、本発明の下部連結点となる支軸２５のみが上下方向へ位置を変えるようになっている。
【００２６】
前記剛性帯体７は、シザースリンク機構６よりも上方位置で、第１，第２ポスト４，５の屈曲案内部材２１，２１に掛け渡された屈曲自在な帯状鋼板製の強度メンバーで、前記カーテン３，３は、第１，第２ポスト４，５の間で直線状に架設される剛性帯体７にガイドブラケット１０と吊り下げ用フック１１とを用いて吊持される。
剛性帯体７は断面上向きの円弧状に形成されていて、直線状態の剛性帯体７をこの円弧面によって補強しており、屈曲案内部材２１，２１間の中間部では、直線形状を保つことによって所要の強度でカーテン３，３を保持し、またカーテン荷重のかからない第１，第２ポスト４，５内部の両側部では、円弧面形状を屈曲案内部材２１，２１で平面状に伸展させることにより９０度下側に屈曲したのち、他方の室２０ｂ内で平面形状を円弧面形状に復元させて直線状態に復帰させるようになっている。
【００２７】
剛性帯体７の両端部にはエンドブロック３０，３０が固着されており、該エンドブロック３０，３０は、第１，第２ポスト４，５の他方の室２０ｂに上下方向へ移動可能に収容されている。剛性帯体７は、シザースリンク機構６の縮小によって第１，第２ポスト４，５の間隔が狭まった場合に、両ポスト４，５の接近で余った剛性帯体７の両側部が、屈曲案内部材２１，２１によってそれぞれの他方の室２０ｂを下方へ案内されながら収容されていき、またシザースリンク機構６が伸張して両ポスト間の距離が拡がった場合には、両ポスト４，５の離間によって不足した剛性帯体７の両側部が屈曲案内部材２１，２１によってそれぞれの他方の室２０ｂから引き出される。
【００２８】
ランナー８とガイドブラケット１０とは、それぞれ複数個ずつが略等間隔で剛性帯体７上に交互に位置し、かつスライド可能に取り付けられている。ランナー８は、本発明の上部連結点と下部連結点である支軸２４，２５に対応する個数が用いられ、剛性帯体７を両側から挟むようにして取り付けされており、ランナー８の剛性帯体７よりも下側部分にはガイドシャフト９の上端が固着され、またランナー８の剛性帯体７よりも上側部分には４つのガイド部８ａが突設されている。
【００２９】
各ランナー８から垂設されるガイドシャフト９は、シザースリンク機構６の上部連結点である支軸２４にてシャフトホルダ２６を貫通しながら該ホルダ２６に共締め固定され、さらにシザースリンク機構６の下部連結点に近接するシャフトホルダ２７をスライド可能に貫通されている。
ガイドシャフト９を挿通したシザースリンク機構６は、前述したごとく、上部連結点の高さを一定に保持し、下部連結点のみ上下動させて伸縮する。ガイドシャフト９は、このようにシザースリンク機構６の伸縮を許容しつつ、リンク機構が伸縮と交差する方向に倒れるのを防止する。
【００３０】
複数のランナー８は、それぞれのガイドシャフト９を介してシザースリンク機構６の上部連結点と下部連結点である支軸２４，２５の延長線上に位置しており、シザースリンク機構６の伸縮に伴って剛性帯体７上を略等間隔でスライドする。すなわち、第１，第２ポスト４，５を引き離してシザースリンク機構６が伸張した場合には、隣り合うランナー８の間隔も均等に広がり、また第１，第２ポスト４，５を接近させてシザースリンク機構６が縮小した場合には、隣り合うランナー８の間隔も均等に狭められる。
【００３１】
前記ガイドブラケット１０は、シザースリンク機構６の伸縮と交差方向へ突出する板状体で、最外部に位置する２つが第１，第２ポスト４，５に固着され、その間に位置する複数が剛性帯体７にスライド可能に支持されている。カーテン３，３は、上部に設けた吊り下げ用フック１１を各ガイドブラケット１０の両端部に掛止することによって、第１，第２ポスト４，５の間でかつシザースリンク機構６の両側部に吊持されている。
本形態例では、ガイドブラケット１０と吊り下げ用フック１１とがシート地保持手段２８を構成しており、カーテン３，３の吊り荷重は、吊り下げ用フック１１からガイドブラケット１０に伝達され、さらに剛性帯体７に担持される。
【００３２】
ランナー８とガイドブラケット１０とは、前述のごとく複数個ずつが剛性帯体７上に交互に設けられており、第１，第２ポスト４，５の間隔が狭まってシザースリンク機構６が縮小した場合には、これに連動して間隔を狭めていく複数のランナー８が、その間に位置するガイドブラケット１０の側面に当接してこれを押動し、双方のカーテン３，３の全体を略均等な畳み具合で閉じていく。
また、第１，第２ポスト４，５の間隔が拡がってシザースリンク機構６が伸張した場合には、これに連動して間隔を拡げていく複数のランナー８が、これらの間に位置するガイドブラケット１０の側面に当接してこれを押動し、双方のカーテン３，３の全体を略均等な拡げ具合で開いていく。
【００３３】
以上のように構成される本形態例のパーティション装置１は、第１，第２ポスト４，５を近接させた折り畳み状態もしくは適度に伸張させた状態のまま、キャスタ付の支持脚４ａ，５ａを用いて使用場所に簡便に搬送される。そして、第１，第２ポスト４，５を所望の間隔に離間させることによてシザースリンク機構６が伸張し、さらに複数のガイドブラケット１０が連動して、シザースリンク機構６の両側に位置するカーテン３，３の全体が均等な開き状態を維持する。
したがって、パーティション装置１をどのような長さで使用しても、カーテン３，３全体をパーティション装置１の長さに対応して均等な波形状とすることができ、さらにシザースリンク機構６がカーテン３，３の内側に隠されることと相まって、使用態様が美麗である。
【００３４】
また、シザースリンク機構６は、上部連結点と下部連結点とをつなぐガイドシャフト９によって、伸縮時の動作や所望長さに伸張させた使用状態の姿勢が撓みなく直線状に保たれる。さらに、シザースリンク機構６を構成するリンクバー２２や支軸２３〜２５、シャフトホルダ２６，２７にも捩れやこじり力が作用しなくなる。
【００３５】
図７，図８は、第１形態例に用いたポストの平行移動装置を他のパーティション装置に適用した本発明の第２形態例を示し、さらに図９〜図１１は、第２形態例のパーティション装置をアコーディオン装置に適用した第３形態例を示しており、図中、図７はパーティション装置の正面図、図８は図７の平面図、図９はアコーディオン装置の正面図、図１０は図９の一部断面平面図、図１１はポストとガイドレールの関係を示す断面図である。
なお、これら第２，第３形態例おいて、前記第１形態例と同一構成部分については同一の符号を付して詳細な説明を省略する。
【００３６】
図５〜図７に示す第２形態例のパーティション装置４０は、第１形態例に用いた移動可能なポストの平行移動装置２を骨格とし、該平行移動装置２のシザースリンク機構６の両側部に２枚のプリーツスクリーン４１，４１を開閉自在に組み合わせたダブルプリーツスクリーン式のパーティション装置で、本形態例では、プリーツスクリーン４１，４１の吊り下げに複数の連結板４２，４３を用いており、第１形態例でカーテンの吊り下げに用いたガイドブラケットは省略されている。
【００３７】
連結板４２，４３は、双方のプリーツスクリーン４１，４１の間隔を保持すべく、前記剛性帯体７よりも上側のプリーツスクリーン４１，４１の上部と、前記ガイドシャフト９よりも下側のプリーツスクリーン４１，４１の下部とで、これらプリーツスクリーン４１，４１のプリーツ板を連結しており、さらに両プリーツスクリーン４１，４１のプリーツ板が傾斜していることから、連結板４２，４３も剛性帯体７の軸線方向に対して一方向に傾斜して配設されている。
【００３８】
プリーツスクリーン４１，４１の上縁と第１，第２ポスト４，５の上端は面一に位置し、プリーツスクリーン４１，４１の上縁近傍と剛性帯体７との間には、第１形態例よりも長い上下長が設定されており、プリーツスクリーン４１，４１の上部をつなぐ連結板４２は、剛性帯体７の上面に至る長さを持っている。
連結板４２は、下端部をランナー８から剛性帯体７の上方に突出する４つのガイド部８ａの間に傾斜した状態で揺動可能に支持されており、プリーツスクリーン４１，４１の吊り荷重は、連結板４２，４３からランナー８に伝達され、さらに剛性帯体７に担持される。
【００３９】
ランナー８と連結板４２とは、シート地保持手段４４を構成して第１，第２ポスト４，５間の剛性帯体７上に略等間隔で位置しており、第１，第２ポスト４，５を引き離すことによりシザースリンク機構６が伸張すると、ガイドシャフト９を介してシザースリンク機構６に連結される各ランナー８が剛性帯体７上をシザースリンク機構６の伸張方向へスライドしていき、ガイド部８ａが連結板４２を開き方向へ押動してプリーツスクリーン４１，４１を伸張させ、折り畳み状態にあったプリーツスクリーン４１，４１を均等に拡げていく。
【００４０】
また、第１，第２ポスト４，５を接近させてシザースリンク機構６が縮小すると、ランナー８が剛性帯体７上をシザースリンク機構６の縮小方向へスライドしていき、ガイド部８ａが連結板４２を閉じ方向へ押動して、伸張状態にあったプリーツスクリーン４１，４１を縮小させて、均等に折り畳んでいく。
したがって、パーティション装置４０をどのような長さで使用しても、プリーツスクリーン４１，４１全体をパーティション装置４０の長さ対応して均等な折り畳み形状とすることができ、さらにシザースリンク機構６がカーテン３，３の内側に隠されることと相まって、使用態様が美麗である。
【００４１】
図８〜図１０に示す第３形態例のアコーディオン装置５０は、対向する一対の側壁５１，５２の間に第２形態例のパーティション装置４０をモディファイして配設し、側壁５１，５２の上部間にガイドレール５３を架設し、第１，第２ポスト４，５の上端にガイドレール５３を転動するローラ５４，５４を取着して、第１ポスト４をガイドレール５３に沿って移動することにより、両側壁５１，５２の間にプリーツスクリーン４１，４１を開閉できるようにしている。
【００４２】
第１，第２ポスト４，５の上端にはローラヘッド５５が嵌着され、該ローラヘッド５５に支軸５６を用いてローラ５４，５４を枢支し、該ローラ５４，５４をガイドレール５３の案内溝５３ａ，５３ａに配設することによって、第１，第２ポスト４，５がガイドレール５３に移動可能に吊持されており、第１，第２形態例で用いた支持脚４ａ，５ａは省略されている。
第１，第２ポスト４，５と側壁５１，５２のいずれか一方にはマグネットが、他方には金属片等の磁性体（いずれも図示しない）が設けられており、第１，第２ポスト４，５が側壁５１，５２に接近した際に磁性体がマグネットに吸着して、第１，第２ポスト４，５を側壁５１，５２の側面に吸着で固定できるようしており、本形態例では、第２ポスト５を側壁５２に固定される側とし、第１ポスト４にグリップ５７を設けて開き側としている。
【００４３】
図９，１０は、開き側の第１ポスト４を側壁５１に吸着固定したアコーディオン装置５０の全閉状態を示しており、剛性帯体７とシザースリンク機構６とが第１，第２ポスト４，５の間で伸張し、これに連動したプリーツスクリーン４１，４１が均等に拡がって側壁５１，５２の間の遮断している。
また、開き側の第１ポスト４を開き方向（図９，１０の左方向）へ牽引すると、マグネットと磁性体との吸着が解除され、第１ポスト４のローラ５４，５４がガイドレール５３の案内溝５３ａ，５３ａを転動して、第１ポスト４が第２ポスト５側へ接近していく。剛性帯体７とシザースリンク機構６は、第１ポスト４に連動して徐々に縮小し、さらにプリーツスクリーン４１，４１も連動してそれぞれが均等に折り畳まれていき、側壁５１，５２の間を連通させる。
【００４４】
アコーディオン装置５０を用いた第３形態例の応用例として、大フロアの間仕切りがあり、さらにドア框の内側に配設してアコーディオンドアとして使用することもできる。また、本形態例のアコーディオン装置５０は、パーティション装置４０の全体をガイドレール５３から吊り下げるため、第１，第２ポスト４，５の接近や離反と、これに連動剛性帯体７やシザースリンク機構６，プリーツスクリーン４１，４１，ランナー８の抵抗が自走式のものよりも少なく、小さな力で作動できる利点がある。
【００４５】
また、第１，第２形態例のパーティション装置１，４０と第３形態例のアコーディオン装置５０を試作して考察したところ、ポストの移動装置に特許文献２のような嵩張る部材を持たないことから、プリーツスクリーンの最大伸張長さに対する最小畳み代をおよそ１０〜１５％程度に半減できた。
【図面の簡単な説明】
【００４６】
【図１】本発明の第１形態例を示すパーティション装置の正面図である。
【図２】本発明の第１形態例を示す図１の平面図である。
【図３】本発明の第１形態例を示すパーティション装置を折り畳んだ状態の正面図である。
【図４】本発明の第１形態例を示す図３の平面図である。
【図５】本発明の第１形態例を示すポストの断面平面図である。
【図６】本発明の第１形態例を示すガイドシャフト上部の縦断面図である。
【図７】本発明の第２形態例を示すパーティション装置の正面図である。
【図８】本発明の第２形態例を示す図７の平面図である。
【図９】本発明の第３形態例を示すアコーディオン装置の正面図である。
【図１０】本発明の第３形態例を示す図９の一部断面平面図である。
【図１１】本発明の第３形態例を示すポストとガイドレールの関係を示す断面図である。
【符号の説明】
【００４７】
１…パーティション装置
２…ポストの平行移動装置
３…カーテン（本発明のシート地）
４…第１ポスト
５…第２ポスト
６…シザースリンク機構
７…剛性帯体
８…ランナー
８ａ…ガイド部
９…ガイドシャフト
２０ａ，２０ｂ…室
２１…屈曲案内部材
２２…リンクバー
２３，２４，２５…支軸
２６，２７…シャフトホルダ
４０…パーティション装置
４１…プリーツスクリーン（本発明のシート地）
４２，４３…連結板
４４…シート地保持手段
５０…アコーディオン装置
５１，５２…側壁
５３…ガイドレール
５３ａ…案内溝
５４…ローラ 
【図１】
0004591890.tif 000002
【図２】
0004591890.tif 000003
【図３】
0004591890.tif 000004
【図４】
0004591890.tif 000005
【図５】
0004591890.tif 000006
【図６】
0004591890.tif 000007
【図７】
0004591890.tif 000008
【図８】
0004591890.tif 000009
【図９】
0004591890.tif 000010
【図１０】
0004591890.tif 000011
【図１１】
0004591890.tif 000012